(57)【特許請求の範囲】
【請求項１】
携帯電話と携帯テレビとが同一筐体内に実装された高周波装置であって、前記携帯電話はアンテナに接続されたアンテナスイッチと、このアンテナスイッチの一方の端子に入力された信号が供給される低雑音増幅器と、この低雑音増幅器の出力が一方の入力に接続されるとともに、他方の入力には第１の局部発振器の出力が接続された第１の混合器と、この第１の混合器の出力が接続された第１の復調器と、この第１の復調器の出力が接続された第１の音声出力器と、音声を電気信号に変換する音声入力器と、この音声入力器の出力が接続された変調器と、この変調器の出力が一方の入力に接続されるとともに、他方の入力には前記第１の局部発振器の出力が接続された第２の混合器と、この第２の混合器の出力と前記アンテナスイッチの他方の端子との間に接続された電力増幅器と、前記第１の局部発振器の発振周波数を制御する第１のＰＬＬ回路と、この第１のＰＬＬ回路に接続されるとともに前記携帯電話の送受信周波数を決定する第１のデータ生成器から成り、前記携帯テレビは、１チャンネル中に複数個のセグメントを含む地上波ディジタル信号が入力されるアンテナと、このアンテナに入力された信号が一方の入力に供給されるとともに、他方の入力には第２の局部発振器の出力が接続された第３の混合器と、この第３の混合器から出力される第１の中間周波数が入力されたバンドパスフィルタと、このバンドパスフィルタの出力が一方の入力に接続されるとともに、他方の入力には第３の局部発振器の出力が接続された第４の混合器と、この第４の混合器から出力される第２の中間周波数が入力されたフィルタと、このフィルタの出力が供給される第２の復調器と、この第２の復調器の画像出力端子に接続された画像表示器と、前記第２の復調器の音声出力端子に接続された第２の音声出力器と、前記第２の局部発振器の発振周波数を制御する第２のＰＬＬ回路と、前記第３の局部発振器の発振周波数を制御する第３のＰＬＬ回路と、前記第２のＰＬＬ回路と前記第３のＰＬＬ回路に接続されて前記携帯テレビの受信周波数と前記第３のＰＬＬ回路の発振周波数を決定する第２のデータ生成器とを備え、前記第１のデータ生成器のデータと前記第２のデータ生成器のデータを比較するデータ比較器と、このデータ比較器の出力に接続されるとともに、前記第１のデータ生成器と前記第２のデータ生成器にデータを送出する制御部とを設け、前記第１、第２のデータ生成器からのデータ内容を前記データ比較器で比較することにより、前記電力増幅器の出力周波数と前記第２の局部発振器の発振周波数との差が予め定められた値以下の場合に、前記データ比較器からのデータに基づいて前記制御部は前記第２の局部発振器の発振周波数を微小量変えて前記第２の局部発振器のＣ／Ｎを向上させることにより前記携帯電話と前記携帯テレビとの間のシールド板を削除する構成とし、前記第１の中間周波数をずらした分だけ前記第３の局部発振器の発振周波数を変えることにより前記第２の中間周波数を一定値にした高周波装置。
【請求項２】
第１、第２のデータ生成器からのデータ内容を、それぞれ携帯電話の受信周波数と第２の局部発振器の発振周波数とした請求項１に記載の高周波装置。
【発明の詳細な説明】
【０００１】
【発明の属する技術分野】
本発明は、携帯電話と携帯テレビとが同一筐体内に実装された高周波装置に関するものである。
【０００２】
【従来の技術】
従来の高周波装置は図７に示すように、高周波装置１は携帯電話２と携帯テレビ３とが同一筐体内に実装されていた。そして、携帯電話２は、アンテナ４に接続されたアンテナスイッチ５と、このアンテナスイッチ５の一方の端子に接続されたＳＡＷフィルタ６と、このＳＡＷフィルタ６の出力が接続された低雑音増幅器７と、この低雑音増幅器７の出力が一方の入力に接続されるとともに、他方の入力には局部発振器８の出力が接続された混合器９と、この混合器９の出力が接続された復調器１０と、この復調器１０の出力が接続された音声出力器１１と、音声入力器１２と、この音声入力器１２の出力が接続された変調器１３と、この変調器１３の出力が一方の入力に接続されるとともに、他方の入力には局部発振器８の出力が接続された混合器１４と、この混合器１４の出力が接続された電力増幅器１５と、この電力増幅器１５の出力とアンテナスイッチ５の他方の端子との間に接続されたローパスフィルタ１６と、前記局部発振器８にループ接続されたＰＬＬ回路１７とから構成されていた。
【０００３】
また、携帯テレビ３は、地上波ディジタル信号が入力されるアンテナ２０と、このアンテナ２０に接続された高周波増幅器２１と、この高周波増幅器２１の出力が一方の入力に接続されるとともに、他方の入力には局部発振器２２の出力が接続された混合器２３と、この混合器２３の出力が接続されたバンドパスフィルタ２４と、このバンドパスフィルタ２４の出力が一方の入力に接続されるとともに、他方の入力には局部発振器２５の出力が接続された混合器２６と、この混合器２６の出力が接続されたバンドパスフィルタ２７と、このバンドパスフィルタ２７の出力が接続された復調器２８と、この復調器２８の画像出力端子に接続された画像表示器２９と、復調器２８の音声出力端子に接続された音声出力器３０と、前記局部発振器２２にループ接続されたＰＬＬ回路３１とから構成されていた。
【０００４】
そして、携帯電話２と携帯テレビ３との間には、夫々単独の携帯電話２或いは携帯テレビ３に設けられた個別のシールドとは別に特別のシールド板３２が設けられていた。この特別のシールド板３２は、携帯電話２と携帯テレビ３との間で妨害を生じさせないために装着されたものである。即ち、このシールド板３２がないと、局部発振器２２の発振周波数が携帯電話２側へ洩れ、携帯電話２に雑音が入ったり、最悪の場合通話不能になることなどが考えられるので、これを防止するために設けられている。また、携帯電話２の局部発振器８の周波数が携帯テレビ３に妨害を与えてディジタルエラーが増加することもある。従って、これを防止する役目も兼ねている。
【０００５】
【発明が解決しようとする課題】
このような理由から従来の構成では、夫々単独の携帯電話２或いは携帯テレビ３に設けられた個別のシールドとは別に特別のシールド板３２を設ける必要があった。
【０００６】
本発明は、このような問題点を解決するもので、特別のシールド板を用いなくともお互いへ与える妨害の少ない高周波装置を提供することを目的としたものである。
【０００７】
【課題を解決するための手段】
この目的を達成するために本発明の高周波装置は、第１のデータ生成器のデータと第２のデータ生成器のデータを比較するデータ比較器と、このデータ比較器の出力に接続されるとともに、前記第１のデータ生成器と前記第２のデータ生成器にデータを送出する制御部とを設け、前記第１、第２のデータ生成器からのデータ内容を前記データ比較器で比較することにより、電力増幅器の出力周波数と第２の局部発振器の発振周波数との差が予め定められた値以下の場合に、前記データ比較器からのデータに基づいて前記制御部は前記第２の局部発振器の発振周波数を微小量変えて前記第２の局部発振器のＣ／Ｎを向上させることにより携帯電話と携帯テレビとの間のシールド板を削除する構成とし、第１の中間周波数をずらした分だけ第３の局部発振器の発振周波数を変えることにより第２の中間周波数を一定値にしたものである。
【０００８】
これにより、特別のシールド板を用いなくともお互いへ与える妨害の少ない高周波装置を得ることができる。
【０００９】
【発明の実施の形態】
本発明の請求項１に記載の発明は、携帯電話と携帯テレビとが同一筐体内に実装された高周波装置であって、前記携帯電話はアンテナに接続されたアンテナスイッチと、このアンテナスイッチの一方の端子に入力された信号が供給される低雑音増幅器と、この低雑音増幅器の出力が一方の入力に接続されるとともに、他方の入力には第１の局部発振器の出力が接続された第１の混合器と、この第１の混合器の出力が接続された第１の復調器と、この第１の復調器の出力が接続された第１の音声出力器と、音声を電気信号に変換する音声入力器と、この音声入力器の出力が接続された変調器と、この変調器の出力が一方の入力に接続されるとともに、他方の入力には前記第１の局部発振器の出力が接続された第２の混合器と、この第２の混合器の出力と前記アンテナスイッチの他方の端子との間に接続された電力増幅器と、前記第１の局部発振器の発振周波数を制御する第１のＰＬＬ回路と、この第１のＰＬＬ回路に接続されるとともに前記携帯電話の送受信周波数を決定する第１のデータ生成器から成り、前記携帯テレビは、１チャンネル中に複数個のセグメントを含む地上波ディジタル信号が入力されるアンテナと、このアンテナに入力された信号が一方の入力に供給されるとともに、他方の入力には第２の局部発振器の出力が接続された第３の混合器と、この第３の混合器から出力される第１の中間周波数が入力されたバンドパスフィルタと、このバンドパスフィルタの出力が一方の入力に接続されるとともに、他方の入力には第３の局部発振器の出力が接続された第４の混合器と、この第４の混合器から出力される第２の中間周波数が入力されたフィルタと、このフィルタの出力が供給される第２の復調器と、この第２の復調器の画像出力端子に接続された画像表示器と、前記第２の復調器の音声出力端子に接続された第２の音声出力器と、前記第２の局部発振器の発振周波数を制御する第２のＰＬＬ回路と、前記第３の局部発振器の発振周波数を制御する第３のＰＬＬ回路と、前記第２のＰＬＬ回路と前記第３のＰＬＬ回路に接続されて前記携帯テレビの受信周波数と前記第３のＰＬＬ回路の発振周波数を決定する第２のデータ生成器とを備え、前記第１のデータ生成器のデータと前記第２のデータ生成器のデータを比較するデータ比較器と、このデータ比較器の出力に接続されるとともに、前記第１のデータ生成器と前記第２のデータ生成器にデータを送出する制御部とを設け、前記第１、第２のデータ生成器からのデータ内容を前記データ比較器で比較することにより、前記電力増幅器の出力周波数と前記第２の局部発振器の発振周波数との差が予め定められた値以下の場合に、前記データ比較器からのデータに基づいて前記制御部は前記第２の局部発振器の発振周波数を微小量変えて前記第２の局部発振器のＣ／Ｎを向上させることにより前記携帯電話と前記携帯テレビとの間のシールド板を削除する構成とし、前記第１の中間周波数をずらした分だけ前記第３の局部発振器の発振周波数を変えることにより前記第２の中間周波数を一定値にした高周波装置であり、第２の局部発振器の発振周波数を微小量変えることにより、相手側へ妨害を与えることはないので、例えば第２の局部発振器の発振周波数が原因で携帯電話において通話中の雑音が増加したり、最悪の場合通話が不能になるようなことはない。
【００１０】
また、携帯テレビにおいても、第１の局部発振器の出力や電力増幅器の出力が第２の局部発振器に妨害を与えることもないので、Ｃ／Ｎが悪くなってエラーが増加するようなこともない。
【００１１】
また、従来のように、携帯電話と携帯テレビとの間に、夫々単独の携帯電話或いは携帯テレビに設けられた個別のシールドとは別に特別のシールド板を設けなくても良いので、小型化を図ることができる。
【００１２】
請求項２に記載の発明は、第１、第２のデータ生成器からのデータ内容を、それぞれ携帯電話の受信周波数と第２の局部発振器の発振周波数とした請求項１に記載の高周波装置であり、携帯テレビにおいて第１の局部発振器の出力や電力増幅器の出力が第２の局部発振器に妨害を与えることはないので、Ｃ／Ｎが悪くなってエラーが増加するようなことはない。
【００１３】
以下、本発明の実施の形態について、図面に基づいて説明する。図１は、本発明の一実施の形態における高周波装置の回路図である。本発明の高周波装置４１は、携帯電話４２と携帯テレビ４３とが同一筐体内に実装されたものである。
【００１４】
そして、携帯電話４２はアンテナ４４に接続されたアンテナスイッチ４５と、このアンテナスイッチ４５の一方の端子に接続されたＳＡＷ（表面弾性波）フィルタ４６と、このＳＡＷフィルタ４６の出力が接続された低雑音増幅器４７と、この低雑音増幅器４７の出力が一方の入力に接続されるとともに、他方の入力には局部発振器４８の出力が接続された混合器４９と、この混合器４９の出力が接続された復調器５０と、この復調器５０の出力が接続された音声出力器（スピーカ又はレシーバ）５１と、音声を電気信号に変換する音声入力器（マイクロフォン）５２と、この音声入力器５２の出力が接続された変調器５３と、この変調器５３の出力が一方の入力に接続されるとともに、他方の入力には局部発振器４８の出力が接続された混合器５４と、この混合器５４の出力が接続された電力増幅器５５と、この電力増幅器５５の出力とアンテナスイッチ４５の他方の端子との間に接続されたローパスフィルタ５６と、前記局部発振器４８にループ接続されたＰＬＬ回路５７とから構成されている。
【００１５】
また、携帯テレビ４３は、地上波ディジタル信号が入力されるアンテナ６０と、このアンテナ６０に接続された高周波増幅器６１と、この高周波増幅器６１の出力が一方の入力に接続されるとともに、他方の入力には局部発振器６２の出力が接続された混合器６３と、この混合器６３の出力が接続されたバンドパスフィルタ６４と、このバンドパスフィルタ６４の出力が一方の入力に接続されるとともに、他方の入力には局部発振器６５の出力が接続された混合器６６と、この混合器６６の出力が接続されたバンドパスフィルタ６７と、このバンドパスフィルタ６７の出力が接続された復調器６８と、この復調器６８の画像出力端子に接続された画像表示器（液晶ディスプレイ又はブラウン管等）６９と、復調器６８の音声出力端子に接続された音声出力器７０と、前記局部発振器６２にループ接続されたＰＬＬ回路７１と、前記局部発振器６５にループ接続されたＰＬＬ回路７２とから構成されている。なお、混合器６６でＩＱ検波を行う場合は、混合器６６として２個の混合器を並列に接続し、夫々の混合器の出力には略５００ＫＨｚ以下を通過させるローパスフィルタを接続する。このローパスフィルタにしても前記ローパスフィルタ６７にしても１セグメントの信号のみを通過させる働きを有する。
【００１６】
また、７３はデータ生成器であり、ＰＬＬ回路５７に接続されて携帯電話４２の受信や送信の周波数を変えるものである。７４はデータ生成器であり、ＰＬＬ回路７１とＰＬＬ回路７２に接続されて携帯テレビ４３の受信周波数（受信チャンネル）を変えるものである。また、このデータ生成器７３と７４はデータ比較器７５に接続されてデータ内容が比較される。そしてその出力は制御部７６に接続されており、データ比較器７５の内容に基づいて、データ生成器７３とデータ生成器７４にデータを出力して携帯電話４２と携帯テレビ４３とがお互いに妨害とならないようにする。即ち、局部発振器４８或いは局部発振器６２の発振周波数の両方或いは一方を微小量変化させる。なお、局部発振器６２の発振周波数を変えれば、それを補正するために局部発振器６５の発振周波数も変えて第２の中間周波数を一定の値（４ＭＨｚ）にしている。
【００１７】
以下、制御部７６の働きを図２、図３を用いて説明する。携帯電話４２、携帯テレビ４３の発振周波数が近い場合にお互いに妨害を与えることになる。この場合、局部発振器４８の発振周波数を変えても良いし、又は局部発振器６２の発振周波数を変えても良い。
【００１８】
まず図２において、局部発振器６２の発振周波数を中心に説明する。即ち、局部発振器６２の出力８０の近傍に妨害波８１が生じたとする。この場合、妨害波８１の原因は、局部発振器４８の発振周波数である。従って、局部発振器４８の発振周波数を微小量変化させて出力８０と妨害波８１の周波数差を１０ＫＨｚ以上になるようにする。このことにより、携帯テレビ４３の局部発振器６２の発振純度が向上し、Ｃ／Ｎは向上するとともに、受信エラーが低減する。なお、妨害波８１の発生する原因として、局部発振器６２の発振周波数と局部発振器４８の発振周波数とが近い（１０ＫＨｚ以下）場合と、局部発振器６２の発振周波数と電力増幅器５５の出力周波数とが近い（１０ＫＨｚ以下）場合とがある。ここで、局部発振器６２の発振周波数と電力増幅器５５の出力周波数とが近い（１０ＫＨｚ以下）場合は、局部発振器４８の発振周波数はそのままで、局部発振器６２自身の発振周波数を微小量変化させても良い。ここで、横軸８３は周波数（ＭＨｚ）、縦軸８４はレベル（ｄＢ）である。
【００１９】
また、局部発振器４８の発振周波数が携帯テレビ４３の受信希望チャンネルの周波数に近い（１０ＫＨｚ以下）の場合は、携帯テレビ４３へのスプリアス妨害を低減させるため、局部発振器４８の発振周波数を微小量変化させる必要がある。
【００２０】
次に図３において、局部発振器４８の発振周波数を中心に説明する。即ち、局部発振器４８の出力８５の近傍に妨害波８６が生じたとする。この場合、妨害波８６の原因は局部発振器６２の発振周波数である。従って、局部発振器６２の発振周波数を微小量変化させて出力８５と妨害波８６の周波数差を１０ＫＨｚ以上になるようにする。このことにより、携帯電話４２の局部発振器４８の発振周波数が向上し、携帯電話４２に雑音が入ったり、最悪の場合通話不能になることを防止することができる。なお、妨害波８６の発生する原因として、局部発振器４８の発振周波数と局部発振器６２の発振周波数とが近い（１０ＫＨｚ以下）の場合である。ここで、横軸８７は周波数（ＭＨｚ）、縦軸８８はレベル（ｄＢ）である。
【００２１】
また、局部発振器６２の発振周波数が携帯電話４２の受信周波数に近い（１０ＫＨｚ以下）場合は、携帯電話４２へのスプリアス妨害を低減させるため、局部発振器６２の発振周波数を微小量変化させる必要がある。
【００２２】
このように、発振周波数の出力８０又は８５の近傍に妨害波の出力８１又は８６があると図４の点線８９に示すように波形９０の純度が低下する。従って、このような場合においては、局部発振器４８と局部発振器６２の何れか、或いは双方の発振周波数を微小量ずつ変化させて周波数純度を向上させる。ここで、横軸９１は周波数（ＭＨｚ）、縦軸９２はレベル（ｄＢ）である。
【００２３】
次に、本実施の形態で使用する電波の周波数は以下の通りである。即ち、携帯テレビ４３のアンテナ６０に入力されるディジタル地上波信号は、ＶＨＦ帯（９０ＭＨｚ〜２２０ＭＨｚ）とＵＨＦ帯（４７０ＭＨｚ〜７７０ＭＨｚ）とから成り、携帯電話４２の使用周波数は、ＰＤＣの１．５ＧＨｚ帯（１２７０ＭＨｚ〜１５００ＭＨｚ）とＷＣＤＭＡ帯（１９２０ＭＨｚ〜２１７０ＭＨｚ）とから成る。
【００２４】
また、ディジタル地上波信号１００は図５に示すように、１チャンネル１０１（１チャンネル幅は６ＭＨｚ）中が１３個のセグメント１０３（１つのセグメント幅は４２８ＫＨｚ）に分割されている。そしてＶＨＦ帯では基本的に各々のセグメント１０３には独立した放送が送信されている。また、ＵＨＦ帯では基本的に中央のセグメントが他のセグメントから独立した放送が送信されている。
【００２５】
また、このディジタル地上波信号１００が混合器６３で略１２０５ＭＨｚの第１の中間周波数に変換される。そして、帯域幅１０４（１．５ＭＨｚ）のバンドパスフィルタ６４により、希望波１０３ｂを中心にして略３つのセグメント１０３ａ，１０３ｂ，１０３ｃが選ばれて通過する。ここで、局部発振器６２の発振周波数を１０ｋＨｚずらすと１０５に示すように、セグメント１０３ａと１０３ｂと１０３ｃの周波数も１０ＫＨｚずれる。次に、混合器６６で略４ＭＨｚの第２の中間周波数に変換される。そしてこのとき第１の中間周波数を先に１０ＫＨｚずらしたので、第２の中間周波数ではその分逆方向に１０７に示すように１０ＫＨｚ戻して４ＭＨｚにする。そして、帯域幅１０６（４２８ＫＨｚ）のバンドパスフィルタ６７により、希望波１０３ｂが選ばれて通過する。
【００２６】
また、図６に示すようにセグメント１０３中に局部発振器４８の出力８５がある場合は、局部発振器４８の周波数を２分の１セグメント分高くするか、或いは低くすれば、局部発振器４８の出力８０がセグメントに妨害を与えることはない。
【００２７】
以上のような制御を制御部７６で行うことにより、局部発振器６２から出力される発振周波数は、アンテナスイッチ４５の一方の端子へ入力される周波数（携帯電話への受信周波数）や電力増幅器５５から出力される周波数（携帯電話の送信周波数）及び局部発振器４８から出力される周波数と異なる周波数にすることができる。
【００２８】
このように局部発振器６２の発振周波数を制御することにより、従来のように、携帯電話２と携帯テレビ３との間に、夫々単独の携帯電話２或いは携帯テレビ３に設けられた個別のシールドとは別に特別のシールド板３２を設ける必要はない。即ち、局部発振器６２の発振周波数が携帯電話４２に妨害を与えることはなく、小型化を図ることができる。従って、特別のシールド板３２がなくとも携帯電話４２に雑音が入ることはない。
【００２９】
また、局部発振器４８の出力や電力増幅器５５の出力が局部発振器６２に妨害を与えることもないので、携帯テレビ４３のＣ／Ｎが悪くなってエラーが増加するようなこともない。
【００３０】
【発明の効果】
以上のように本発明の高周波装置によれば、第１のデータ生成器のデータと第２のデータ生成器のデータを比較するデータ比較器と、このデータ比較器の出力に接続されるとともに、前記第１のデータ生成器と前記第２のデータ生成器にデータを送出する制御部とを設け、前記第１、第２のデータ生成器からのデータ内容を前記データ比較器で比較することにより、電力増幅器の出力周波数と第２の局部発振器の発振周波数との差が予め定められた値以下の場合に、前記データ比較器からのデータに基づいて前記制御部は前記第２の局部発振器の発振周波数を微小量変えて前記第２の局部発振器のＣ／Ｎを向上させることにより携帯電話と携帯テレビとの間のシールド板を削除する構成とし、第１の中間周波数をずらした分だけ第３の局部発振器の発振周波数を変えることにより第２の中間周波数を一定値にしたものである。
【００３１】
従って、第１の局部発振器或いは第２の局部発振器の何れかの局部発振器の発振周波数を微小量変えることにより、相手側へ妨害を与えることはないので、例えば第２の局部発振器の発振周波数が原因で携帯電話において通話中の雑音が増加したり、最悪の場合通話が不能になるようなことはない。また、携帯テレビにおいても第１の局部発振器の出力や電力増幅器の出力が第２の局部発振器に妨害を与えることもないので、Ｃ／Ｎが悪くなってエラーが増加するようなこともない。
【００３２】
また、従来のように、携帯電話と携帯テレビとの間に、夫々単独の携帯電話或いは携帯テレビに設けられた個別のシールドとは別に特別のシールド板を設けなくても良いので、小型化を図ることができる。
【図面の簡単な説明】
【図１】  本発明の一実施の形態における高周波装置のブロック図
【図２】  同、携帯電話の局部発振周波数と妨害波の関係の説明図
【図３】  同、携帯テレビの局部発振周波数と妨害波の関係の説明図
【図４】  同、局部発振器の純度を示す説明図
【図５】  同、携帯テレビの局部発振周波数を微小量変化させるときの説明図
【図６】  同、携帯電話の局部発振周波数を微小量変化させるときの説明図
【図７】  従来の高周波装置のブロック図
【符号の説明】
４１  高周波装置
４２  携帯電話
４３  携帯テレビ
４４  アンテナ
４５  アンテナスイッチ
４７  低雑音増幅器
４８  局部発振器
４９  混合器
５０  復調器
５１  音声出力器
５２  音声入力器
５３  変調器
５４  混合器
５５  電力増幅器
５７  ＰＬＬ回路
６０  アンテナ
６１  高周波増幅器
６２  局部発振器
６３  混合器
６４  バンドパスフィルタ
６５  局部発振器
６６  混合器
６７  バンドパスフィルタ
６８  復調器
６９  画像表示器
７０  音声出力器
７１  ＰＬＬ回路
７２  ＰＬＬ回路
７３  データ生成器
７４  データ生成器
７５  データ比較器
７６  制御部
【図１】
0003788364.tif 000002
【図２】
0003788364.tif 000003
【図３】
0003788364.tif 000004
【図４】
0003788364.tif 000005
【図５】
0003788364.tif 000006
【図６】
0003788364.tif 000007
【図７】
0003788364.tif 000008